(57)【要約】【課題】  小水力発電装置用ゴミスクリーンが捕獲したゴミを自動処理するシステムを提供する。【解決手段】図１のように小水力発電装置用ゴミスクリーン（７）を小水力発電タービンの上流側に配置して、ゴミスクリーン（７）が捕獲したゴミを発電タービン（４）の下流側に放流することで、小水力発電装置に悪影響が出ないようにする。【選択図】図１
2016102387.tif 000002
【特許請求の範囲】
【請求項１】
用水路に配設された水力発電タービン（４）の上流側に可動式のゴミスクリーン（７）を配置し、水力発電タービン（４）が水中から引き揚げられ退避すると同時またはその後に、該ゴミスクリーン（７）を動かして停滞したゴミを下流側に流すことを特徴とする小水力発電装置用ゴミ処理システム。
【請求項２】
用水路に配設された水力発電タービン（４）の上流側にゴミスクリーン（７）を配置し、該ゴミスクリーン（７）に隣接して水力発電タービン側水路（１８）に水が流れ込まないように機能された水門扉（１５）を配置し、該水門扉（１５）が機能すると同時またはその後に、該ゴミスクリーン（７）に停滞していたゴミを、水力発電タービン側水路（１８）を経由せずに、下流に放流することを特徴とする小水力発電装置用ゴミ処理システム。
【請求項３】
用水路に配設するゴミスクリーン（７）において、スクリーン面を水深が増加する方向で下流側に傾斜するように配置することを特徴とするゴミスクリーン装置。
【発明の詳細な説明】
【技術分野】
【０００１】本発明は小水力発電装置用ゴミスクリーン装置に関する。
【背景技術】
【０００２】これまで小水力発電装置は小水力発電タービンの上流側に固定式のゴミスクリーンやかき揚げ式の除塵装置などが配置されてきた。
特許文献１のように増水や気象条件など用水路管理上の要件を受けて小水力発電機や除塵装置を水路から引き上げる機構が提案されていた。
特許文献２のようにスクリーンに停滞したゴミを陸上側に引き上げる方法が提案されていた。
特許文献３のように流体動力を利用して常に回転しながら、ゴミを陸上側に上げる方法が提案されていた。
【先行技術文献】
【特許文献】
【０００３】
【特許文献１】特開２０１１−１１７３５５
【特許文献２】特開２０１２−２３７１１２
【特許文献３】特開２０１３−１８９８３７
【非特許文献】
【０００４】
【非特許文献１】特になし
【発明の概要】
【発明が解決しようとする課題】
【０００５】本発明が解決しようとする課題は、用水路に小水力発電装置を配設した場合、ゴミなどの異物が水力発電タービン（４）、ガイドベーン（１６）など、小水力発電装置内の部品に絡み付くなどして、性能低下など悪影響を及ぼすため、小水力発電装置の上流側に従来形のゴミスクリーンを設置して対応していたが、ゴミ停滞による運転性能低下やゴミ引揚装置費用および該ゴミ収集廃棄処理の費用が発生していた。
【課題を解決するための手段】
【０００６】小水力発電装置を配設する水路の上流側に一時的にゴミを捕獲するためのゴミスクリーン（７）を設置して、ゴミが小水力発電機に性能低下を及ぼす状況を検知して、水力発電タービン（４）が水上に退避すると同時またはその後、捕獲したゴミを下流に放流する。【０００７】小水力発電装置を配設する水路の上流側に一時的にゴミを捕獲するためのゴミスクリーン（７）と水力発電機タービン側水路（１８）に水が流れ込まないように機能する水門扉（１５）を設置し、該ゴミスクリーン（７）にゴミが停滞して小水力発電装置に悪影響を及ぼす状況を検知して、該水門扉（１５）を働かせて、水力発電タービン側水路（１８）とは異なる水路を経由して、捕獲したゴミを下流に放流する。【０００８】ゴミスクリーン（７）において、スクリーン面を水深が増加する方向で下流側に傾斜させることでスクリーン（７）に停滞したゴミをゴミスクリーン（７）の下方に押しやる効果が得られる。【０００９】ゴミスクリーン（７）に停滞したゴミが小水力発電装置に悪影響を及ぼす状況の検知は、該ゴミスクリーン（７）に働く流体抵抗の増加や、水路の流量とゴミスクリーン（７）付近の水位および小水力発電装置の発電の変化によって得られる。
【発明の効果】
【００１０】本発明によって、ゴミスクリーン（７）に停滞したゴミが小水力発電装置に悪影響を及ぼす状況をいち早く検知し、小水力発電装置に悪影響が及ばない状態にした後で、該ゴミを小水力発電機の下流に放流する処理を行うことで、小水力発電機への悪影響を抑制しながら、自動運転を継続することができる。  これによって、ゴミによる発電量減少の抑制、保守要員出動回数の低減などの効果が得られる。【００１１】ゴミスクリーン（７）で捕獲したゴミの収集廃棄作業が不要になる。
【図面の簡単な説明】
【００１２】
【図１】本発明の小水力発電装置用ゴミスクリーン装置における請求項１の実施例（退避前）を示した切開側面図である。
【図２】本発明の小水力発電装置用ゴミスクリーン装置における請求項１の実施例（退避後）を示した切開側面図である。
【図３】本発明の小水力発電装置用ゴミスクリーン装置における請求項１の実施例を示した平面図である。
【図４】本発明の小水力発電装置用ゴミスクリーン装置における請求項２の実施例（水門扉作動前）を示した切開側面図である。
【図５】本発明の小水力発電装置用ゴミスクリーン装置における請求項２の実施例（水門扉作動後）を示した切開側面図である。
【図６】本発明の小水力発電装置用ゴミスクリーン装置における請求項２の実施例を示した切開平面図である。
【発明を実施するための形態】
【００１３】用水路に配設された水力発電タービンの上流側にゴミスクリーンを配置し、水力発電タービンにゴミが悪影響を及ぼさない状態で、ゴミを下流側に流すことで、係員が現地でのゴミ除去作業を行うことなく、自動処理で継続的な運転を実現する。
【実施例】
【００１４】図１に本発明の小水力発電装置用ゴミスクリーン装置における請求項１の水力発電タービン（４）が水上に退避する前を示した実施例の構成を示す。
水力発電タービン（４）の上流側にゴミスクリーン回転軸（８）を持つ、可動式のゴミスクリーン（７）が配置されている。水力発電タービン（４）はギヤボックス（５）と発電機（６）と架台（１４）に組みつけられて一体化され、駆動機（１０）によって架台回転軸（１３）を中心に回転する構造となっている。
架台回転軸（１３）とゴミスクリーン回転軸（８）とはリンクバー（９）によって連結され駆動機（１０）が架台（１４）を回転させて、水力発電タービン（４）を水上に揚げると同時にリンクバー（９）が押されてゴミスクリーン（７）は、図２に示されるように下端が下流側に回転し、捕獲されていたゴミは下流に放流される。【００１５】ゴミスクリーン（７）に捕獲されたゴミを下流に放流するための機構は前述のような回転式の他、昇降式にすることができる。【００１６】ゴミスクリーン（７）用の駆動機は独立制御ができる。【００１７】図４に本発明の小水力発電装置用ゴミスクリーン装置における請求項２の水門扉（１５）が作動する前を示した実施例の構成を示す。
水力発電タービン（４）はダクト（１９）の内側で回転する。回転力は主軸（１７）からギヤハウジング（５）に伝達され、発電機（６）に伝えられる。
水力発電タービン（４）の上流側にはゴミスクリーン（７）が設置され、その下方には水門扉（１５）が設けられている。
水門扉（１５）は駆動機（１０）とリンクバー（９）によって連結され、駆動機（１０）が水門扉（１５）を下方に開くと上流から流れ込んだ水はゴミスクリーン（７）に捕獲されたゴミとともに、水力発電タービン側水路（１８）を経由することなく下流に放流される。【００１８】ゴミスクリーン（７）には、捕獲したゴミを離れやすくするために振動、回転、空気噴出、水流噴出装置を付加することができる。
【産業上の利用可能性】
【００１９】用水路に配設される小水力発電装置のみならず、計測・分水・送水・水門などのシステムにおいて、上流側のゴミスクリーンに停滞したゴミを、システム性能に悪影響を与えることなく、下流側に流すことで処理を完了することができる。
【符号の説明】
【００２０】１  用水路上端部
２  用水路底部
３  導水路
４  水力発電タービン
５  ギヤハウジング
６  発電機
７    ゴミスクリーン
８    ゴミスクリーン回転軸
９    リンクバー
１０  駆動機
１１  上流側水流
１２  下流側水流
１３  架台回転軸
１４  架台
１５  水門扉
１６  ガイドベーン
１７  主軸
１８  水力発電タービン側水路
１９  ダクト
２０  ケーシング
【図１】
2016102387.tif 000003
【図２】
2016102387.tif 000004
【図３】
2016102387.tif 000005
【図４】
2016102387.tif 000006
【図５】
2016102387.tif 000007
【図６】
2016102387.tif 000008